(57)【要約】【課題】  蓄積動作時に、画像劣化が少なく且つ送信時の変倍処理によるパフォーマンス低下を少なくするための原稿読み取りモード（線密度、受信原稿幅）を選択することが可能なファクシミリ装置を提供する。【解決手段】  ファクシミリ送信時に設定された宛先および読み取り線密度と宛先に対応した受信書き込み能力情報を基に、送信処理途中での変倍処理が不要となるように読み取りでの線密度および変倍率を選択し、原稿を蓄積するための制御を行う制御手段３を備えた。【選択図】  図１
2005229473.tif 000002
【特許請求の範囲】
【請求項１】
ファクシミリ送信時に設定された宛先および読み取り線密度と前記宛先に対応した受信書き込み能力情報を基に、送信処理途中での変倍処理が不要となるように読み取りでの線密度および変倍率を選択し、原稿を蓄積するための制御を行う制御手段を備えたことを特徴とするファクシミリ装置。
【請求項２】
請求項１記載のファクシミリ装置において、前記制御手段は、複数の宛先が設定された場合は、全ての宛先に対し受信書き込み能力情報をチェックし、設定条件を上限として、線密度および受信原稿幅に対し最も大きい条件により読み取りでの線密度および変倍率を選択し、画像を蓄積するための制御を行うことを特徴とするファクシミリ装置。
【請求項３】
請求項１記載のファクシミリ装置において、前記制御手段は、蓄積された画情報を変倍処理の不要な宛先から順次送信するように制御を行うことを特徴とするファクシミリ装置。
【請求項４】
請求項１記載のファクシミリ装置において、前記制御手段は、変倍処理の不要な宛先への送信が終了後は、次に変倍処理率の低い宛先へ送信するために、原画像を前記変倍処理率の低い宛先の変倍率で再構成し、該再編成後の画像を使って変倍処理を不要とする宛先を選択して順次送信するように制御を行うことを特徴とするファクシミリ装置。
【発明の詳細な説明】
【技術分野】
【０００１】
本発明は、ファクシミリ装置の蓄積動作時にパフォーマンス低下を少なくするための原稿読み取りモードに関する。
【背景技術】
【０００２】
従来、受信機書き込み能力に合わせて、読み取り送信する技術は、呼接続後ファクシミリプロトコルの交換で受信機能力を受信した後に、その能力に応じて原稿を読み取ることで実現していた。
【発明の開示】
【発明が解決しようとする課題】
【０００３】
ファクシミリ装置においては、メモリ送信時、受信機の能力と蓄積画像の線密度／紙幅の差異ができるだけ生じないようにすること、複数の宛先に送信する場合、画像劣化をできるだけ抑え、且つ送信処理途中での変倍処理によるパフォーマンス低下をできるだけ少なくすること、受信機書き込み能力の異なる複数の宛先に送信する場合、変倍処理回数をできるだけ少なくすること等が要求されている。
本発明は、蓄積動作時に、画像劣化が少なく且つ送信時の変倍処理によるパフォーマンス低下を少なくするための原稿読み取りモード（線密度、受信原稿幅）を選択することが可能なファクシミリ装置を提供することを目的とする。
【課題を解決するための手段】
【０００４】
上記目的を達成するために、請求項１記載の発明は、ファクシミリ送信時に設定された宛先および読み取り線密度と宛先に対応した受信書き込み能力情報を基に、送信処理途中での変倍処理が不要となるように読み取りでの線密度および変倍率を選択し、原稿を蓄積するための制御を行う制御手段を備えたファクシミリ装置を最も主要な特徴とする。
請求項２記載の発明は、請求項１記載のファクシミリ装置において、制御手段は、複数の宛先が設定された場合は、全ての宛先に対し受信書き込み能力情報をチェックし、設定条件を上限に、線密度および受信原稿幅に対し最も大きい条件で、読み取りでの線密度および変倍率を選択し、画像を蓄積するための制御を行うファクシミリ装置を主要な特徴とする。
請求項３記載の発明は、請求項１記載のファクシミリ装置において、前記制御手段は、蓄積された画情報を変倍処理の不要な宛先から順次送信するように制御を行うことを特徴とする。
請求項４記載の発明は、請求項１記載のファクシミリ装置において、前記制御手段は、変倍処理の不要な宛先への送信が終了後は、次に変倍処理率の低い宛先へ送信するために、原画像を前記変倍処理率の低い宛先の変倍率で再構成し、該再編成後の画像を使って変倍処理を不要とする宛先を選択して順次送信するように制御を行うことを特徴とする。
【発明の効果】
【０００５】
本発明では、同報宛先にも対応するために、過去に送信した宛先に対しては、その受信機書き込み能力情報を記憶しておくことで、蓄積動作時に、画像劣化が少なく且つ送信時の変倍処理によるパフォーマンス低下を少なくするための原稿読み取りモード（線密度、受信原稿幅）を選択することができる。
【発明を実施するための最良の形態】
【０００６】
以下、本発明の実施の形態を図面に従って説明する。
図１は本発明の実施の形態に係るファクシミリ装置の機能ブロック図である。その構成を動作と併せて説明する。
操作部１は一般的なファクシミリ操作を行うことが可能であり、これらのデータはアスキーコードでＦＡＸ制御部３内のＲＡＭに記憶される。表示部２は操作部１を介して設定された送信条件等を表示するものである。この操作部１からファクシミリ発信動作が行われると、ＦＡＸ制御部３の制御により送信原稿が読み取り部４で読み取られ、メモリ７を介して信号発生部６において専用伝送フォーマットに組み立てられ、回線制御部８を介して設定された相手先に送信される。また受信したフォーマットはＦＡＸ制御部３により分解されて解読され画像はメモリ７に記憶されると共に記録部５により記録紙に出力される。
図２はファクシミリ送信時、受信機より通知される受信機能力情報（ＮＳＦ）を基に、宛先毎に記憶される受信機書き込み能力情報例を示したものである。横軸に宛先１０、線密度１１、受信原稿幅１２を表し、縦軸に宛先１０の宛先名を表す。尚、図ではＲ１＞Ｒ２＞Ｒ３、Ｗ１＞Ｗ２＞Ｗ３とする。
図３は蓄積された画情報と宛先情報の関連を示したものである。横軸に画情報１３、宛先情報１４を表し、縦軸に画情報１３の種類を表す。図では宛先情報ＡＤ１には、画情報１が送信されることを示している。以下、同様である。
図４は宛先情報と実際にオペレータにより設定された宛先番号を示したものである。横軸に宛先情報１４、宛先１５を表している。図では、宛先情報ＡＤ１は、宛先ＡとＢの２つの宛先から構成されていることがわかり、図３から左記宛先には、画情報１が送信される予定であることを示している。
【０００７】
図５、図６は各々原稿蓄積動作およびメモリ送信動作に関するフロー図であり、以下本図に従い各々の動作について概略を説明する。
先ず図５に示す蓄積動作から説明する。オペレータは、任意の宛先（ＡＤ３）、線密度（Ｒ１）および原稿（W３）を設定し、操作部１のスタートキー押下にて読み取りを開始する(Ｓ１)。次に左記で指定された宛先が、受信書き込み能力情報に存在するかどうかチェックし(Ｓ２)、全てある場合は、オペレータが指定した条件を上限として、各条件を再設定する(Ｓ３)。
本ケースでは、線密度Ｒ２で原稿幅Ｗ３が選択され、本条件に従い読み取り時に変倍処理を行い画情報をメモリ７に蓄積する(Ｓ４)。一方無い宛先が存在する場合は、オペレータの設定に従い蓄積する(Ｓ４)。
次に図６に示すメモリ送信動作について説明する。先ず蓄積画情報を変倍なしで送信するために、送信画情報と同一の受信書き込み能力を持つ宛先の有無をチェックする(Ｓ１１、Ｓ１２)。有る場合は(Ｓ１２で有)、その宛先で発呼し送信開始する(Ｓ１４)。受信機から通知される受信機書き込み能力と画情報の線密度／紙幅を比較し(Ｓ１５)、一致している場合は、本画情報をそのまま送信する(Ｓ１９)。
一方一致しない場合は、受信機に合わせ変倍処理を行い送信する(Ｓ１６、Ｓ１９)。この時、以降同一の条件で送信可能な宛先がある場合を考慮して、変倍処理後の画情報を残存する宛先に対する画情報とするために、画情報を新たに画情報記憶用のメモリ７に蓄積すると共に画情報と宛先情報との関連テーブルを再構築する（画情報１'／ＡＤ１'）(Ｓ１７、Ｓ１８)。最後に本宛先に対する受信機書き込み能力情報を更新する(Ｓ２０)。
また、蓄積画情報と残存する宛先情報の宛先に対する受信書き込み能力情報で一致する宛先が無い場合は(Ｓ１２で無)、次に画情報の差異が少ない宛先を選択する(Ｓ１３)。以降上記手順により送信動作を行う。上記一連の処理は、宛先が無くなるまで(Ｓ１１で無)繰り返す。
以上のように、メモリ送信時、複数の宛先が設定された場合も含め、画像劣化が少なく且つ送信時の変倍処理によるパフォーマンスの低下をできるだけ少なくすることができる。
【０００８】
本実施形態では、メモリ送信時、受信機の能力と蓄積画像の線密度／紙幅の差異が少ないことにより、変倍処理を行うことなく送信できる。
また、複数の宛先に送信する場合も、画像劣化をできるだけ抑え、且つ送信処理途中での変倍処理を少なくすることでパフォーマンス低下をできるだけ少なくすることができる。
また、受信機書き込み能力の異なる複数の宛先に送信する場合、変倍処理回数をできるだけ少なくすることにより、パフォーマンス低下を少なくすることができる。
【図面の簡単な説明】
【０００９】
【図１】本発明の実施の形態に係るファクシミリ装置の機能ブロック図である。
【図２】受信機書き込み能力情報を示す図である。
【図３】画情報と宛先情報を示す図である。
【図４】宛先情報と宛先を示す図である。
【図５】原稿蓄積動作のフロー図である。
【図６】メモリ送信動作のフロー図である。
【符号の説明】
【００１０】
１  操作部、２  表示部、３  ＦＡＸ制御部(制御手段)、４  読み取り部、５  記録部、６  信号発生部、７  メモリ、８  回線制御部
【図１】
2005229473.tif 000003
【図２】
2005229473.tif 000004
【図３】
2005229473.tif 000005
【図４】
2005229473.tif 000006
【図５】
2005229473.tif 000007
【図６】
2005229473.tif 000008